(57)【要約】【課題】  変速時の操作が軽く、滑らかな動きで精度良く変速することができる自転車用変速装置を供する。【解決手段】  車体フレームに設けられたケース部材に支持される共に案内孔81ａが形成されたディレイラ軸81と、ディレイラ軸81に移動可能に軸支されるディレイラアーム82と、ディレイラアーム82に回転可能に支持されると共に変速用回転体50を構成する複数の変速比を変える回転体要素の間で掛け換えられる無端伝動帯が巻き掛けられたガイド回転体86と、変速操作に応じて進退するワイヤ62に連結されディレイラアーム82の基端部に嵌着しディレイラ軸81の案内孔81ａに案内されて旋回する操作ピン65とを備え、変速操作によりワイヤ62を介して操作ピン65が案内孔81ａに案内されつつ移動することによりディレイラアーム82をディレイラ軸81に対して旋回させると共にディレイラ軸81の中心軸線の方向へ並進させる自転車用変速装置において、操作ピン65に回転自在に軸支されたローラ66が案内孔81ａに転動自在に嵌合される自転車用変速装置。【選択図】  図９
2005225286.tif 000002
【特許請求の範囲】
【請求項１】
車体フレームに設けられたケース部材に支持される共に案内孔が形成されたディレイラ軸と、
前記ディレイラ軸に移動可能に軸支されるディレイラアームと、
前記ディレイラアームに回転可能に支持されると共に変速用回転体を構成する複数の変速比を変える回転体要素の間で掛け換えられる無端伝動帯が巻き掛けられたガイド回転体と、
変速操作に応じて進退するワイヤに連結され前記ディレイラアームの基端部に嵌着し前記ディレイラ軸の案内孔に案内されて旋回する操作ピンとを備え、
変速操作によりワイヤを介して操作ピンが前記案内孔に案内されつつ移動することにより前記ディレイラアームを前記ディレイラ軸に対して旋回させると共に前記ディレイラ軸の中心軸線の方向へ並進させる自転車用変速装置において、
前記操作ピンに回転自在に軸支されたローラが前記案内孔に転動自在に嵌合されることを特徴とする自転車用変速装置。
【請求項２】
前記ディレイラ軸が円筒状をなし、同円筒壁に螺旋状の前記案内孔が対向して一対形成され、
前記操作ピンは、中央部が前記ワイヤの前記ディレイラ軸内に挿入された端部に連結され、両端部が前記一対の案内孔を貫通して前記ディレイラアームの基端部に嵌着され、
前記ローラは、前記操作ピンの両側部に一対回転自在に軸支され前記一対の案内孔に転動自在に嵌合されることを特徴とする請求項１記載の自転車用変速装置。
【請求項３】
前記ディレイラ軸は、前記ケース部材に回転可能に支持され、
前記ディレイラアームの旋回に伴い前記ディレイラ軸に作用するトルクと釣り合う釣合トルクを前記ディレイラ軸に作用させる釣合ばねが前記ケース部材に設けられることを特徴とする請求項１または請求項２記載の自転車用変速装置。
【発明の詳細な説明】
【技術分野】
【０００１】
本発明は、ディレイラを備える自転車用変速装置に関する。
【背景技術】
【０００２】
自転車用変速装置において、変速のために、駆動スプロケットと被動スプロケットとに掛け渡されるチェーンを、例えば被動スプロケットに設けられる複数のスプロケットの間で掛け換える機構として、構造が簡単で、比較的低コストなディレイラが使用される。
【０００３】
例えば特許文献１に開示された自転車用変速装置のディレイラは、自転車のフレームに設けられる上部ボディに軸方向および回転方向に固定されたガイド部材と、ガイド部材に回転および軸方向に移動可能に嵌められた制御レバーと、制御レバーに第１ピンにより枢着されると共にチェーンが巻き掛けられた伝動ホイールを回転可能に支持する下部ボディとを備える。さらに、円筒状のガイド部材の内側に摺動可能に設けられる摺動部材には、ガイド部材に形成された１対のヘリカルスロットを通って制御レバーに係合する１対の横断ピンが設けられる。
【０００４】
そして、チェンジレバーに結合されたケーブルの操作により摺動部材を軸方向に移動させ、制御レバーをガイド部材に対して回転および軸方向に移動させることにより、自転車の後輪のハブに設けられる複数のスプロケットに対するチェーンの掛け換えが行われる。
【０００５】
【特許文献１】特許第２６５４１０１号公報（図３、図５）
【発明の開示】
【発明が解決しようとする課題】
【０００６】
ここで、ガイド部材に形成された１対のヘリカルスロットに両側部が摺動自在に嵌合する横断ピンは、ケーブルの操作により軸方向に移動するとき、両側部を１対のヘリカルスロットに摺接させて旋回させられながら移動する。
【０００７】
そのため、横断ピンとヘリカルスロットとの間で摩擦抵抗があり、特に横断ピンの１対のヘリカルスロットに摺接する両側部においては互いに反対回転方向のトルクが働き、摺動摩擦が大きく動きに滑らかさが欠けるとともにケーブル操作が重くなる。
【０００８】
本発明は、かかる点に鑑みなされたもので、その目的とする処は、変速時の操作が軽く、滑らかな動きで精度良く変速することができる自転車用変速装置を供する点にある。
【課題を解決するための手段および効果】
【０００９】
上記目的を達成するために、本請求項１記載の発明は、車体フレームに設けられたケース部材に支持される共に案内孔が形成されたディレイラ軸と、前記ディレイラ軸に移動可能に軸支されるディレイラアームと、前記ディレイラアームに回転可能に支持されると共に変速用回転体を構成する複数の変速比を変える回転体要素の間で掛け換えられる無端伝動帯が巻き掛けられたガイド回転体と、変速操作に応じて進退するワイヤに連結され前記ディレイラアームの基端部に嵌着し前記ディレイラ軸の案内孔に案内されて旋回する操作ピンとを備え、変速操作によりワイヤを介して操作ピンが前記案内孔に案内されつつ移動することにより前記ディレイラアームを前記ディレイラ軸に対して旋回させると共に前記ディレイラ軸の中心軸線の方向へ並進させる自転車用変速装置において、前記操作ピンに回転自在に軸支されたローラが前記案内孔に転動自在に嵌合される自転車用変速装置とした。
【００１０】
変速操作でワイヤを介して操作ピンが案内孔に案内されつつ移動する際、操作ピンに軸支されたローラが案内孔を転動するので、摺動摩擦がなく滑らかに操作ピンを移動することができ、変速時の操作が軽く滑らかな動きで精度良く変速することができる。
【００１１】
請求項２記載の発明は、請求項１記載の自転車用変速装置において、前記ディレイラ軸が円筒状をなし、同円筒壁に螺旋状の前記案内孔が対向して一対形成され、前記操作ピンは、中央部が前記ワイヤの前記ディレイラ軸内に挿入された端部に連結され、両端部が前記一対の案内孔を貫通して前記ディレイラアームの基端部に嵌着され、前記ローラは、前記操作ピンの両側部に一対回転自在に軸支され前記一対の案内孔に転動自在に嵌合されることを特徴とする。
【００１２】
変速操作でワイヤを介して操作ピンが案内孔に案内されつつ移動する際、操作ピンの両側部に軸支された一対のローラが一対の案内孔内面に接して互いに反対方向に転動するので、摺動摩擦がなく滑らかに操作ピンを移動することができ、変速時の操作が軽く滑らかな動きで精度良く変速することができる。
【００１３】
請求項３記載の発明は、請求項１または請求項２記載の自転車用変速装置において、前記ディレイラ軸は、前記ケース部材に回転可能に支持され、前記ディレイラアームの旋回に伴い前記ディレイラ軸に作用するトルクと釣り合う釣合トルクを前記ディレイラ軸に作用させる釣合ばねが前記ケース部材に設けられることを特徴とする。
【００１４】
ディレイラ軸をケース部材に固定とせず回転自在とし、釣合いばねにより付勢する構造としているので、ディレイラアームを介して操作ピンおよびローラからディレイラ軸に過大トルクが作用してもディレイラ軸が回転して過大トルクを緩和することができる。
【発明を実施するための最良の形態】
【００１５】
図１ないし図２１に図示された本発明に係る変速装置の実施例について説明する。
図１は本発明に係る変速装置が使用された自転車Ｂの左側面図である。この自転車はダウンヒル用の自転車であり、林道などに高速コーナやジャンプセクションを設けた未舗装のコースを下ることによりタイムを競う競技に使用される。
【００１６】
自転車Ｂの車体フレームＦは、ヘッドパイプ１から後方斜め下方に延びる左右１対のメインフレーム２と、両メインフレーム２の前端部からその下方において後方斜め下方に延びるダウンチューブ３と、各メインフレーム２の中央部から後方へ延びるサドルフレーム４とを備えている。
サドル６を支持する上記サドルフレーム４はメインフレーム２との間に介装されたステー４ａにより支持されている。
上記ヘッドパイプ１は左右１対のフロントフォーク５を操舵可能に支持し、フロントフォーク５の下端部で前輪Ｗｆが軸支されている。
【００１７】
なお、この明細書において、「上下」、「前後」および「左右」は、自転車を基準としたもので、それぞれ自転車の「上下」、「前後」および「左右」と一致する。また、側面視とは、左右方向から見ることを意味する。
【００１８】
図１に図示の左右メインフレーム２の後部に設けられたピボット軸７には、図５に図示されるように、該左右１対のメインフレーム２の各内側面に隣接して、左右１対のスイングアーム８の前端部が揺動可能に軸支され、このスイングアーム８の後端部には、該左右１対のスイングアーム８の間に位置し、車軸９を介して後輪Ｗｒが軸支されている。
左右１対のスイングアーム８は、圧縮スプリングとダンパとを有するサスペンション10を介して上記左右１対のメインフレーム２に連結されているので、ピボット軸７を中心に上下方向に揺動可能である。
【００１９】
クランク軸11と、変速装置Ｔおよび後輪Ｗｒへの駆動力伝達機構を含む伝動装置とが、自転車Ｂに装備されている。
そして、図１に示されるように、車体フレームＦの下部であって、両メインフレーム２の後部とダウンチューブ３の後部との間に、クランク軸11および変速装置Ｔが配置され、自転車Ｂの右側に、変速装置Ｔから後輪Ｗｒへ駆動力を伝達する機構、すなわち後輪駆動スプロケット15と、後輪従動スプロケット16と、両スプロケットに架渡された無端の後輪駆動チェン17とよりなる駆動力伝達機構が、車体幅方向中心線より右側に配置されている。
【００２０】
上記変速装置Ｔのケース20は、図２、図３、図５に図示されるように、左右半割りの左ケース20Ｌと右ケース20Ｒを合体して構成され、左右ケース20Ｌ，20Ｒの外側面図は図２および図３に図示されている。
左右ケース20Ｌ，20Ｒは、それぞれ内部装置を包むＣＦＲＰ（カーボン繊維強化プラスティック）製の左カバー21Ｌと右カバー21Ｒ、およびこの左右カバー21Ｌ，21Ｒの外側からこれを補強するアルミ合金製の左補強部材22Ｌと右補強部材22Ｒとからなり、左カバー21Ｌは左補強部材22Ｌの内側に、右カバー21Ｒは右補強部材22Ｒの内側にそれぞれ接着されている。
【００２１】
左右のカバー21Ｌ，21Ｒは、図８に図示されるように、その合わせ部にシール部材31を介して突き合わされ、これを挟む左右補強部材22Ｌ，22Ｒの外周突出部のボルト孔23Ｌ，23Ｒ、24Ｌ，24Ｒに装着されたボルト32，33によって締め付けられて、一体化されている。
【００２２】
図２および図３とともに図１に図示されるように、左右それぞれ３つのボルト孔23Ｌ，23Ｒはボルト32の装着により左右補強部材22Ｌ，22Ｒが合体緊締され、他の左右それぞれ３つのボルト孔24Ｌ，24Ｒのうち前方２つのボルト孔24Ｌ，24Ｒはダウンチューブ３の下端にボルト33の装着によって共締めされ、後方１つのボルト孔24Ｌ，24Ｒはメインフレーム２の下端にボルトの装着によって共締めされている。
すなわち当該ボルト孔24Ｌ，24Ｒは、ボルト33の装着により上記左右ケース20Ｌ，20Ｒの締め付けを行うと共に、変速装置Ｔを車両のメインフレーム２およびダウンチューブ３に取り付ける作用を兼ねている。
【００２３】
ケース20の左右補強部材22Ｌ，22Ｒの下部には、図５に図示されるように、クランク軸受孔25Ｌ，25Ｒが穿設され、このクランク軸受孔25Ｌ，25Rに前記クランク軸11が左右方向に貫通し、その上方位置に前記ピボット軸７が貫通するピボット軸受孔26Ｌ，26Ｒが穿設されている。
【００２４】
また、図２に図示されるように、左補強部材22Ｌには、上部に後記するディレイラ軸81のディレイラ軸受孔27Ｌと同軸受孔27Ｌから所定距離に覗き孔28Ｌが穿設され、図３に図示されるように、右補強部材22Ｒには、上部に前記ディレイラ軸受孔27Ｌに対向してディレイラ軸受孔27Ｒと同ディレイラ軸受孔27Ｌから所定距離に覗き孔28Ｒが穿設され、さらに前部に出力軸受孔29が穿設されている。
【００２５】
なお、左右の覗き孔28Ｌ，28Ｒは、互いに対向した位置にはなく、ディレイラ軸受孔27Ｌ，27Ｒを中心として所定の回動角度位置にあり、その内径は、後記するガイドプーリ支軸87より若干大きくガイドプーリ支軸87を目視し易く、またガイドプーリ86の外径より大幅に小さく、無用に大きくすることなくケース20の剛性を確保するようになっている。
また、図３に図示されるように、右補強部材22Ｒのディレイラ軸受孔27Ｒの近傍にストッパボルト孔30が形成されている。
【００２６】
上記のような左右補強部材22Ｌ，22Ｒが左右カバー21Ｌ，21Ｒとともに合わされて、ボルト32，33で緊締されて変速装置Ｔのケース20が構成され、かつ車体フレームＦに懸架される。
図５に図示されるように、ペダル式クランク軸であるクランク軸11は、ケース20の左右のクランク軸受孔25Ｌ，25Ｒを貫通してケース20の外側に突出した左右端部にそれぞれ１対のクランクアーム12が基端部を嵌着されて設けられ、図１に図示されるように、クランクアーム12の先端にはペダル39が回転可能に取り付けられる。
【００２７】
図１および図５に図示されるように、ボルト状ピボット軸７は、メインフレーム２の後部２ａに形成されたピボットボス２ｂの貫通孔２ｃと、ケース20の左右の補強部材22Ｌ，22Ｒにおけるピボット軸受孔26Ｌ，26Ｒに嵌合されたブッシュ13を貫通して延び、ボルト状ピボット軸７の先端に螺着されたナット34によりメインフレーム２の後部に固定され、各スイングアーム８が、ケース20の左右の外側方で、ケース20と各メインフレーム２の後部との間において、ピボット軸７にカラー18および軸受19を介して、揺動可能に支持されている。
【００２８】
図４は、変速装置Ｔの右ケース20Ｒの一部を除去して内部を見た右側面図であり、図６は図４のＶＩ−ＶＩ断面展開図であり、クランク軸11と出力軸14とに関連する部分が示されている。
ケース20内に収納され右ケース20Ｒの出力軸受孔29から外部に突出した出力軸14は、その右端部に後輪駆動スプロケット15が嵌着される。
図１に示されるように、後輪駆動スプロケット15と後輪Ｗｒに設けられた後輪従動スプロケット16との間には後輪駆動チェーン17が掛け渡される。
【００２９】
ここで、後輪駆動スプロケット15、後輪従動スプロケット16、および後輪駆動チェーン17は、車両の駆動輪である後輪Ｗｒを駆動する前記駆動力伝達機構を構成する。
そして、出力軸14は後輪Ｗｒとは、常時連動して前進方向Ｐと後退方向Ｑに連動回転する。
【００３０】
図８は図３のＶＩＩＩ−ＶＩＩＩ断面展開図であり、ガイドプーリ支軸87とディレイラ軸81に関連する部分が示されている。
図４、図５、図６、図８において、変速装置Ｔは、ケース20内に収納される変速機構Ｍ１および変速切換機構Ｍ２とを備える。
変速機構Ｍ１は主として図５、図６に示すクランク軸11と出力軸14とに関連する部分によって構成され、変速切換機構Ｍ２は主として図８の上部に示すディレイラ軸81に関連する部分によって構成されている。
この変速切換機構Ｍ２は変速機構Ｍ１に作用して、変速機構Ｍ１を所望の変速位置へ向けて切換を行う。
【００３１】
変速機構Ｍ１は、図７に図示の一方向クラッチ42、図６に図示のスライド機構Ｓ、駆動スプロケット体40、変速スプロケット体50、無端の変速チェーン58および出力軸14を備えている。
変速スプロケット体50は複数のスプロケット51〜57を左側から右側に向って大きさの順に隙間を空けて多段に重ねて出力軸14にスプライン結合したものである。
【００３２】
図５に図示されるように、クランク軸11は、ケース20の左右補強部材22Ｌ，22Ｒのクランク軸孔25Ｌ，25Ｒに嵌着された左右１対の軸受48を介してケース20に回動自在に支持され、このクランク軸11の両端に一体にクランクアーム12が嵌着され、図１に図示されるように、クランクアーム12の先端にペダル39が枢着されており、サドル６に跨って腰掛けた図示されないライダーの足によって、クランク軸11は、前進方向Ｐへ回転駆動されるようになっている。
図６において、クランク軸11には、駆動スプロケット体40が、両軸受48間に配置され、駆動スプロケット体40の駆動スプロケット41は、クランク軸11と同軸に配置された一方向クラッチ42とスライド機構Ｓとを介してクランク軸11に装着されており、クランク軸11により回転駆動される。
【００３３】
図６および図７に図示されるように、一方向クラッチ42は、クランク軸11の一部の外周部自体によって構成されるクラッチインナ42ａと、後述の内筒44の一部から構成されるクラッチアウタ42ｂと、クラッチアウタ42ｂ内周の係合部に係合する複数のラチェット爪42ｃと、クラッチインナ42ａに装着されてラチェット爪42ｃの先端をクラッチアウタ42の内周面の凹部に係合するように付勢するリングバネ42ｄとからなっている。
一方向クラッチ42の作用によって、運転者がペダル39を踏み、車両を進める前進方向Ｐへクランク軸11を回動させた時にのみ、クランク軸11の回動力は駆動スプロケット41に伝達され、また、車両の前進中に、運転者がペダル38を踏むことを停止し、駆動スプロケット41が前進方向Ｐへ回転した場合、すなわち、駆動スプロケット41に対しクランク軸11が相対的に後退方向Ｑに回転した場合には、駆動スプロケット41からクランク軸11へ回転力が遮断されるようになっている。
【００３４】
図６において、一方向クラッチ42と駆動スプロケット41との間には、駆動スプロケット41をクランク軸11に対してクランク軸軸線方向に移動可能にすると共に一方向クラッチ42のクラッチアウタ42bと一体に回転するスライド機構Ｓが設けられている。
【００３５】
スライド機構Ｓは、内筒44と、外筒45と、ボールスプライン機構46とからなる。
内筒44は、その右端が前記クラッチアウタ42ｂを構成すると共に、クランク軸11の外周に１対のニードル軸受43を介して回動可能に支持されている筒であり、外筒45は、内筒44の径方向外方に配置されている筒である。
【００３６】
ボールスプライン機構46は、内筒44の外周面と外筒45の内周面との間に設けられたボールを用いたスプライン係合機構である。駆動スプロケット41と駆動スプロケット移動制限部材121とが、外筒45、駆動スプロケット41、駆動スプロケット移動制限部材121の各リベット孔122、123、124を貫通してかしめ付けされるリベット125により、外筒45に一体に結合されており、外筒45と駆動スプロケット41と駆動スプロケット移動制限部材121がクランク軸11に沿って一体となって移動するとともにケース２に対して回転するようになっている。
駆動スプロケット41の外周部には、リベット49によってチェーンガイド47が一体的に取り付けられている。
【００３７】
図５および図６に図示されるように、スライド機構Sと駆動スプロケット41とを一体に回転させると共に、駆動スプロケット41および外筒45を内筒44に対してクランク軸軸線方向に移動可能にするためのボールスプライン機構46は、内筒44の外周面と外筒45の内周面とで、互いに径方向で対面するとともにクランク軸方向に指向した複数対の半円形断面の収容溝46ａ、46ｂと、各対の収容溝に跨って転動可能に収容され、かつ周方向で内筒44と外筒45に係合する複数のボール46ｃからなるボール列とによって構成されている。駆動スプロケット41および外筒45の移動範囲を規定し、かつボール46ｃの脱落防止のために、内筒44および外筒45の両端部にはストッパ44ａ，44ｂ，45ａ、45ｂが設けてある。
【００３８】
図６、図１２および図１３に図示されるように、出力軸14は、ケース20の左右の補強部材22Ｌ，22Ｒにそれぞれ保持される左右１対の軸受48を介して回動可能に支持されている。
出力軸14の左右軸受48の間において、複数の変速スプロケットからなる変速用の多段式変速スプロケット体50が、出力軸14と常時一体に回転するように、出力軸14に装着されている。この実施例では、前記多段式変速スプロケット体50は、外径が異なる７種類の変速用の変速スプロケット51〜57から構成されるスプロケット体である。
【００３９】
７個の変速スプロケット51〜57は、最小外径を有する７速（最高速）用の変速スプロケット57から最大外径を有する１速（最低速）用の変速スプロケット51まで、右側から左側に向けて順次低速になるよう出力軸軸線方向に並んで配列され、出力軸14の外周面でスプライン結合されて、出力軸14に連結されている。
【００４０】
駆動スプロケット体40と変速スプロケット体50とには、変速チェーン58が掛け渡され、該変速チェーン58によりクランク軸11と出力軸14との間で回転が伝達される。
後述の変速切換機構Ｍ２は、一群の変速スプロケット51〜57の間で変速チェーン58を掛け換えることによって変速を行う機構である。即ち、変速切換機構Ｍ２は、変速スプロケット51〜57の中から変速切換機構Ｍ２によって選択された一つの変速スプロケットと、前記駆動スプロケット41との間に、変速チェーン58を掛け渡すよう作用する。
【００４１】
それゆえ、出力軸14は、前記変速スプロケット51〜57と駆動スプロケット41との歯数比により決定される変速比で、クランク軸11により回転駆動される。
そして、出力軸14の動力は、ケース20の右側外部に設けられた後輪駆動スプロケット15、後輪駆動チェーン17および後輪従動スプロケット16（図１参照）を介して後輪Ｗｒに伝達される。
【００４２】
図８は図３のＶＩＩＩ−ＶＩＩＩ断面図であり、変速機構Ｍ２の主としてディレイラ軸81に関連する部分が示されており、図１２は図３のＸＩＩ−ＸＩＩ断面展開図であって、この断面図に出力軸14の断面図を加えた断面展開図であり、図１３はその別の状態を示すものである。
図１と図８と図１２において、変速操作機構60により作動される変速切換機構Ｍ２は、ガイドプーリ86を有するディレイラ80と、テンショナプーリ105を有するテンショナ100とを備えている。
【００４３】
そして、図４に図示するように、変速チェーン58は、駆動スプロケット41と前記変速スプロケット51〜57と、さらに人力走行時、変速チェーン58が弛む側に配置されるガイドプーリ86とテンショナプーリ105とに巻き掛けられている。
【００４４】
図１に図示される変速操作機構60は、運転者により操作される変速レバーなどで構成される変速操作部材61と、変速操作部材61の動作をディレイラ80に伝達するために変速操作部材61とディレイラ80とを連結するワイヤ62と、ワイヤ62を覆うアウタチューブ63（図１、図８参照）とを備えている。
【００４５】
図８において、ディレイラ80は、ケース20の上方前部に回動可能に支持されるディレイラ軸81と、基端部がディレイラ軸81に旋回および軸線方向移動が可能となるよう摺動自在に嵌合して支持されるディレイラアーム82と、ディレイラアーム82の先端部に回転可能に支持されるガイドプーリ86と、ディレイラアーム82をディレイラ軸81に沿って右方へ押す圧縮コイルばね91と、変速操作機構60による変速操作に応じてディレイラアーム82をディレイラ軸81に対して移動させる操作素子の操作ピン65と、テンショナプーリ105によって加えられる変速チェーン58の張力に抗してディレイラアーム82を出力軸14の方へ向かう回動方向（図４参照）へ付勢する捩りコイルばねからなる釣合ばね92とを備えている。
【００４６】
図５、図１２、および図１３に図示されるように、ディレイラ軸81は、その中心線が変速スプロケット体50の回転中心線に平行になるようケース20に回動可能に支持され、ガイドプーリ86は、その回転中心線が変速スプロケット体50の回転中心線に平行になるようディレイラアーム82に支持されている。
【００４７】
図８に特に図示されるように、ディレイラ軸81の左端部は、左補強部材22Ｌのディレイラ軸受孔27Ｌに嵌装された軸受キャップ68を介して左補強部材22Ｌに回動可能に支持され、ディレイラ軸81の右端部は、右補強部材22Ｒのディレイラ軸受孔27Ｒに嵌合して右補強部材22Ｒに回動可能に支持されている。
なお、右補強部材22Ｒのディレイラ軸受孔27Ｒの開口は、外側からキャップ69が嵌め込まれて閉塞される。
【００４８】
軸受キャップ68は、左補強部材22Ｌのディレイラ軸受孔27Ｌに内側から嵌入され、フランジ部68ａがディレイラ軸受孔27Ｌの内側の段部に嵌合するとともに、軸受キャップ68の左端外周面の環状溝に止め輪98が嵌められることにより位置決めされて取付けられ、同軸受キャップ68を貫通して回動自在に軸支されるディレイラ軸81は、その突出した端部外周面に嵌合されたワッシャ94に、外周面に形成された環状溝に嵌められた止め輪95が当接することにより右方向の移動が規制され、ディレイラ軸81の軸方向左方移動は、ディレイラ軸81の内側外周面段部に嵌合されたワッシャ93によって規制される。
したがって、ディレイラ軸81は、回動は許容されるが軸方向の移動は規制されている。
【００４９】
図８に図示されるように、ディレイラ軸81の外周に巻回される釣合ばね92は、その一端たる右端92ａがディレイラ軸81のワッシャ93に沿った位置に係止され、他端たる左端92ｂが軸受キャップ68に係止されている。
すなわち軸受キャップ68とディレイラ軸81との間に互いの相対回動方向に捩りコイルばねである釣合ばね92が介装されている。
【００５０】
図８および図９に図示されるように、この円筒状のディレイラ軸81の筒壁には軸方向に緩やかに螺旋状に傾斜した捩れた案内孔81a，81aが中心軸対称に１対形成されており、図１０に図示されるように、両案内孔81a，81aを貫通する操作ピン65に配置された１対のローラ66，66がそれぞれ案内孔81a，81aに転動自在に嵌合される。
【００５１】
図９および図１０に図示されるように、外径が６ｍｍ、内径が３ｍｍのリング状ローラ66は、直径３ｍｍの操作ピン65に回転自在に軸支され、同ローラ66は、幅６ｍｍ強の案内孔81ａ内を転動しうるように、同案内孔81ａに嵌合されている。
案内孔81ａの捩れ角度（ディレイラ軸81の中心軸線に平行な母線に対する傾斜角度）は、約40度であるが、操作ピン65が案内孔81ａ内を移動すると、操作ピン65およびローラ66がディレイラ軸81を回動させるように作用し、その力が釣合ばね92を約10度捩ることで、案内孔81ａにローラ66を介して間接的に嵌合されている操作ピン65は、ディレイラアーム82とともに３０°の範囲内で旋回できるようになっている。
図１０に図示されるように、操作ピン65は、両ローラ66，66よりさらに外側に延出し、その両端はディレイラ軸81を貫通して旋回および軸方向移動を自在に軸支されるディレイラアーム82における第２ディレイラアーム84の基端部84ａに嵌着される。
【００５２】
この両ローラ66，66の中間に位置する操作ピン65中央部に連結フック67がＵ字状端部を係止して取り付けられる。
ディレイラ軸81の左端開口に被せられたガイドキャプ64の中央のディレイラ軸81の中心軸線上にある小孔からディレイラ軸81内に挿入されたワイヤ62の先端が、連結フック67の一端に結着される。
【００５３】
上記のように操作ピン65にワイヤ62を連結する組付け手順は、図８に図示されるように、ガイドキャプ64の中央の小孔からワイヤ62をディレイラ軸81内に挿入し、操作ピン65の中央部（ローラ66，66間）を通過させて右方のディレイラ軸受孔27Ｒの開口から先端を突出させ、その先端に連結フック67を結着する。
【００５４】
そして、ワイヤ62のガイドキャプ64から延びた部分を掴んでワイヤ62を左方へ引っ張り、ワイヤ62に結着された連結フック67をディレイラ軸81内に引きずり込み、操作ピン65の中央部に連結フック67のＵ字状端部を係止することによって、前記組付け手段は達成される。
なお、組付け後、右補強部材22Ｒのディレイラ軸受孔27Ｒの開口は、キャップ69を嵌めて閉塞する。
【００５５】
図８、図１１に図示されるように、軸受キャップ68の外側面には一方に偏った位置に１対の支持ブラケット68ｂ,68ｂが対向して突出しており、同支持ブラケット68ｂ,68ｂに両側部を貫通支持された支軸70の中央にガイドローラ71が回転自在に軸支され、前記ディレイラ軸81の中心軸線がガイドローラ71の外周円の接線となっている。
【００５６】
この支持ブラケット68ｂ,68ｂおよび前記ガイドキャップ64の周囲を覆うように、ワイヤガイド部材72が取り付けられる。
ワイヤガイド部材72は、図１１に図示されるように、支持ブラケット68ｂ,68ｂを外側から挟む側壁72ａ，72ａの下端が連結部72ｂで連結され、側壁72ａ，72ａと連結部72ｂの３辺の一方の端面が軸受キャップ68との合せ面となり、図８に示すように側壁72ａ，72ａの上部が合せ面から離れながら上方へ延出して連結してワイヤガイド部72ｃを形成し、ワイヤガイド部72ｃにガイド孔72ｄが斜め上方に向けて穿孔されている。
【００５７】
ガイド孔72ｄの上半部には大径のアウタチューブ63の端部が嵌入され、下半部が小径で
ワイヤ62が貫通する（図８参照）。
該ワイヤガイド部材72は、前記支持ブラケット68ｂ,68ｂの軸支部と同軸となる側壁72ａ，72ａの位置に軸孔を有し、両側壁72ａ，72ａ間に支持ブラケット68ｂ,68ｂを挟むように嵌挿して合せ面を軸受キャップ68の外側面に合わせ、支持ブラケット68ｂ,68ｂにガイドローラ71を挿入し、外側から支軸70を側壁72ａと支持ブラケット68ｂとガイドローラ71をともに貫通してワイヤガイド部材72を軸受キャップ68に取り付けるとともに、ガイドローラ71を軸支する。
【００５８】
図８に図示されるように、ディレイラアーム82は、第１ディレイラアーム83と第２ディレイラアーム84とからなり、ディレイラ軸81の外周に中心軸線方向に並進および旋回するように摺動可能に嵌合する円筒状の摺動部材85の外周に、第１，第２ディレイラアーム83，84の基端部83a，84aが並んで圧入され、第１ディレイラアーム83の先端部83bと第２ディレイラアーム84の先端の偏平円筒部84cの中心に形成されたボス部84bとが間に円筒状のカラー89を挟んでボルトであるガイドプーリ支軸87とナット88の螺合により緊締されて一体に結合している。
【００５９】
図８、図１５および図１６に図示されるように、第２ディレイラアーム84の偏平円筒部84ｃの外周部からさらに先端に向って略半円弧状に湾曲した駆動スプロケット移動規制部材120が形成されており、駆動スプロケット移動規制部材120は、ディレイラ軸81の回りをディレイラアーム84とともに一体となって、図４に図示されるように、出力軸14に最も接近した位置（実線表示）と最も離れた位置（２点鎖線表示）との間の選択位置に回動しうるようになっている。
【００６０】
そして、図４の２点鎖線に示されるように、駆動スプロケット移動規制部材120が出力軸14から最も離れた位置を占めた状態では、ケース20内には左右のケース20Ｌ、20Ｒを貫通するピボット軸７に駆動スプロケット移動規制部材120の略半円弧状アーチの内側中央が位置するような形状、すなわち、略半円弧状アーチの弯曲半径はディレイラ80のガイドプーリ86の半径と略同じ値となるような形状に、駆動スプロケット移動規制部材120は形成されている。
【００６１】
図１２、図１３に図示されるように、ガイドプーリ支軸87が貫通したカラー89の外周には回動可能にテンショナ100のテンショナアーム101の円筒基部104が支持され、同円筒基部104の両端部から１対の第１，第２テンショナアーム102，103が延出している。
図８に図示されるように、この円筒基部104の外周にニードルベアリング90を介してガイドプーリ86が回転自在に軸支されている。
【００６２】
なお、図１０に図示されるように、前記ディレイラ軸81の１対の案内孔81a，81aを貫通する操作ピン65は、両ローラ66，66よりさらに外側に延出し、摺動部材85を貫通して第２ディレイラアーム84の基端部84aにその両端を嵌着している。
また、前記圧縮コイルばね91は、軸受キャップ68と第１ディレイラアーム83の基端部83aとの間に介装され、第１，第２ディレイラアーム83，84を右方向へ付勢している。
【００６３】
図１２および図１３に示すように、テンショナ100は、ガイドプーリ支軸87に円筒基部104を軸支されたテンショナアーム101と、テンショナアーム101の先端に軸支されるテンショナプーリ105と、ディレイラアーム82に対してテンショナアーム101を揺動付勢するテンショナばね106とを備えている。
【００６４】
テンショナアーム101は、第１，第２テンショナアーム102，103からなり、同第１，第２テンショナアーム102，103の先端部間にベアリング107の内輪を挟んでボルトであるテンショナプーリ支軸108が貫通してナット109と螺合して緊締され、ベアリング107の外輪にテンショナプーリ105が嵌着されて、テンショナプーリ支軸108を中心に回転自在に軸支されている。
なお、図４および図８を参照して第１，第２テンショナアーム102，103の基部近傍に突出部102a，103aがあり、両突出部102a，103a間にカラー110が介装され、ボルト111とナット112の螺合で、突出部102ａ，103ａは相互に一体に連結されている。
【００６５】
図４および図５に示すように、変速チェーン58は、クランク軸11に一方向クラッチ42とスライド機構Ｓとを介して軸支される駆動スプロケット41に図４において時計回りに巻き掛けられた後に、テンショナプーリ105に時計回りに巻き掛けられ、ボルト111とガイドプーリ86との間を通り、ガイドプーリ86に反時計回りに巻き掛けられ、次いで変速スプロケット51〜57のいずれかに時計回りに巻き掛けられて駆動スプロケット41に戻り巻き掛けられている。
【００６６】
捩りコイルばねからなるテンショナばね106は、図１２に示すように、第２ディレイラアーム84の先端部の偏平円筒部84cに中心ボス部84bを囲むように収納され、その一端部106aが第２ディレイラアーム84に係止され、その他端部106bが第２テンショナアーム103に係止されて、そのばね力によりテンショナアーム101を図４において揺動中心軸のガイドプーリ支軸87を中心に時計方向に付勢し、テンショナプーリ105を押して、変速チェーン58に適度な大きさの張力を付与して、変速チェーン58の弛みを防止する。
【００６７】
このテンショナばね106のばね力の反力によって、図４において、ガイドプーリ86を備えたディレイラアーム82には出力軸14に接近する反時計方向のトルクが生じる。
前記軸受キャップ68とディレイラ軸81との間に介装される捩りコイルばねである釣合ばね92は、ディレイラ軸81の案内孔81a，81aと操作ピン65の係合を介してディレイラアーム82にトルクを与えるもので、図４において、上記テンショナばね106のばね力の反力による反時計方向トルクとバランスする釣合いトルク、即ちガイドプーリ86を備えたディレイラアーム82を出力軸14から離す時計方向の釣合いトルクをディレイラ軸81に加えるものである。
【００６８】
これによって、変速操作機構Ｍ２での変速操作に応じて、外径が異なる変速スプロケット51〜57間での変速チェーン58の掛け換えが可能となるように、ディレイラアーム82およびガイドプーリ86が軸方向に移動するに伴ない、ディレイラ軸81の回りを、旋回する際に、ディレイラアーム82の軸方向移動とともに、ディレイラアーム82の揺動に伴ない変化する釣合ばね92のばね力の増減に対応してテンショナばね106のばね力が増減し、変速チェーン58に与えられる張力を最適な値に保持することができる。
【００６９】
ところで、図８および図１１を参照して、左補強部材22Ｌのディレイラ軸受孔27Ｌを構成する円筒部22ｔの下部が一部切欠かれて軸受キャップ68の外周の一部が露出しており、円筒部22の切欠かれた開口端面に沿ってねじ取付ボス22ｂが膨出形成され、同ねじ取付ボス22ｂの端面に対向して軸受キャップ68の露出する外周面に突起68ｃが形成され、ねじ取付ボス22ｂにディレイラ軸81に直交する方向に螺入された調整ボルト73が貫通して調整ボルト73の先端が軸受キャップ68の膨出部68ｃに当接している。
【００７０】
軸受キャップ68には変速チェーン58の張力によるディレイラ軸81に作用するトルクが釣合ばね92を介して作用しているので、軸受キャップ68の突起68ｃが調整ボルト73の先端に常に押し付けられている。
なお、調整ボルト73にはナット74が螺合されていて、ディレイラ軸81の回動角度が調整された後、ナット74が螺入されてねじ取付ボス22ｂに当接し、調整ボルト73が固定されるようになっている。
【００７１】
なお、図８に図示されるように、ストッパボルト75の頭部とストッパボルト孔30の開口端との間にコイルばね76が介装されており、ストッパボルト75が、コイルばね76のばね力により右方へ付勢され、ストッパボルト75の雄ネジと右補強部材22Ｒの雌ネジとの摩擦力の増大によってストッパボルト75が固定されるようになっている。
【００７２】
図４，図１２，図１３を参照して、ガイドプーリ86により案内される変速チェーン58の、各変速スプロケット51〜57への掛け換えを可能とするための、ガイドプーリ86の切換移動範囲と該切換移動範囲内でのガイドプーリ86の移動経路とについて説明する。
【００７３】
変速操作機構60の変速操作によるガイドプーリ86の前記切換移動範囲は、圧縮コイルばね91のばね力によりディレイラアーム82がストッパボルト75に当接する第１位置（図１２参照）と、操作ピン65がディレイラアーム82を左方に移動して、ディレイラアーム82がストッパとしてのワッシャ93に当接する第２位置（図１３参照）とにより規定される。
【００７４】
前記切換移動範囲のうち、ディレイラ軸81の軸線方向範囲は、ガイドプーリ86が、変速スプロケット体50の軸線の両端部に位置する変速スプロケットである最小外径の変速スプロケット57および最大外径の変速スプロケット51と同じ軸線方向位置を占めることができるように設定され、ここでは、前記第１位置でのストッパボルト75の位置と、前記第２位置でのワッシャ93の軸線方向位置とによって決められる。
【００７５】
一方、ディレイラ軸回りの回動移動範囲は、最小外径の変速スプロケット57および最大外径の変速スプロケット51に対応して、ガイドプーリ86がそれら変速スプロケット57，51から径方向で外方に所定距離をおいた位置を占めるように設定される（図４参照）。
【００７６】
ディレイラ軸81は、ケース20に対して、回動可能である一方で、軸線方向移動が阻止された状態で支持されているために、ディレイラ軸81の回動範囲は、緩やかに傾斜した螺旋状の案内孔81aの形状と、ディレイラアーム82に作用するテンショナばね106のばね力により、操作ピン65を介してディレイラ軸81に作用するトルクＴａと、釣合ばね92のばね力により生じてディレイラ軸81に作用する釣合トルクＴｂとが釣り合うときの釣合位置によりディレイラ軸81の回動位置が決まる。
【００７７】
したがってディレイラ軸81の螺旋状案内孔81aの形状は、上記トルクの釣合いを考慮して変速スプロケット51〜57に対応する軸方向の各位置に対応してディレイラアーム82をそれぞれ所定の旋回位置に旋回させるように予め設計されている。
【００７８】
しかし、組付け直後は、釣合ばね92の両端係合位置にバラ付きがあって、釣合ばね92の初期荷重が所定値に合致していないので、初期調整が必要であり、以下その調整方法について説明する。
【００７９】
前記左ケース20Ｌに穿孔された覗き孔28Ｌは、図１３に示すようにディレイラアーム82が最大外径の１速用（変速比最小）の変速スプロケット51に対応する軸方向位置にあって所要の旋回位置に正確に位置したときのガイドプーリ86のガイドプーリ支軸87と覗き孔28Ｌの中心軸を同軸に一致させることができる位置に設けられている（図４の２点鎖線参照）。
【００８０】
したがって、ディレイラアーム82の軸方向位置と旋回位置が所定の関係に設定されていれば、変速操作機構60の変速操作部材61を操作して変速比を最小に設定したときには、左ケース20Ｌの覗き孔28Ｌを覗き込むとガイドプーリ支軸87を目視することができるはずである。
【００８１】
前記したように、調整ボルト73を回動し進退させると、軸受キャップ68と釣合ばね92の左端92ｂとがディレイラ軸81を中心に一方向または逆方向に旋回し、釣合ばね92が巻き締めまたは巻き戻されて釣合ばね92の初期荷重が増減し、前記したように釣合ばね92を介してディレイラ軸81に作用するトルクＴｂが変更され、変速チェーン58の張力によるディレイラ軸81に作用するトルクＴａとの釣合いの下でディレイラ軸81の初期回動角度が調整され、ディレイラ軸81の回動により操作ピン65を介してディレイラアーム82が旋回する。
【００８２】
そこで、組付け後に変速操作部材61を操作して変速比を最小に設定しておき、左ケース20Ｌの覗き孔28Ｌを覗き込みながら調整ボルト73の螺合状態を調整する（図２参照）。
すなわち、調整ボルト73を回動操作すると、ディレイラアーム82がガイドプーリ支軸87とともに旋回するので、覗き孔28Ｌを覗き込みながらガイドプーリ支軸87が覗き孔28Ｌから目視できるように調整ボルト73を回動操作する。
調整を完了した状態を図１３に示すとともに図４に２点鎖線で示す。
【００８３】
このようにして変速比が最小のときのディレイラ軸81の回動角度を適正に初期調整しておけば、ディレイラ軸81の案内孔81aの形状がトルクの釣合いを考慮して予め設計されているので、他の各変速比におけるディレイラ軸81の回動角度はそれぞれ所要の角度に自ずと設定され、変速スプロケット51〜57に対応する軸方向の各位置に対応してディレイラアーム82およびガイドプーリ86をそれぞれ所定の旋回位置に旋回させることができる。
この初期調整が終了したら覗き孔28Ｌにキャップ96を嵌入して閉塞しておく。
【００８４】
以上のように、覗き孔28Ｌを覗きながらガイドプーリ支軸87を目視できるように調整ボルト73を回動操作して、ディレイラアーム82の軸方向位置と旋回位置を所定の位置に精度良くかつ簡単に設定することができる。
【００８５】
次に、駆動スプロケット体40のスライド規制構造について述べる。図１４は図４のＸＩＶ−ＸＩＶ断面展開図であり、クランク軸11とガイドプーリ支軸87と、ディレイラ軸81とを含む断面の展開図である。
【００８６】
図１５は上記第２ディレイラアーム84の右面図、図１６は図１５のＸＶＩ−ＸＶＩ断面図である。偏平円筒部84ｃの外周部からさらに先の方へ、図１５に図示されるように、アーチ状に湾曲した駆動スプロケット位置設定部材120が延び、この駆動スプロケット位置設定部材120は、駆動スプロケット41のスライド移動を規制する部材であって、第２ディ
レイラアーム84に一体的に形成されている。
【００８７】
ディレイラアーム82は、駆動スプロケット位置設定部材120と共に、変速操作に応じてディレイラ軸81の周りを回動し、図４に示されるように、出力軸の軸線方向右方から見た時、出力軸に最も接近した位置（実線表示）と最も離れた位置（仮想線表示）との間の選択位置を占める。
【００８８】
駆動スプロケット位置設定部材120が出力軸14から最も離れた位置を占めた状態では、ピボット軸７は駆動スプロケット位置設定部材120のアーチの内側中央に位置する状態となる。
【００８９】
図１４の下半部において、クランク軸１１には変速機構Ｍ１の駆動スプロケット体40が設けられ、駆動スプロケット体40は、一方向クラッチ42と、スライド機構Ｓと、駆動スプロケット41と、変速チェーン脱落防止用のチェーンガイド47と、駆動スプロケットの移動を規制する駆動スプロケット移動制限部材121とからなっており、前述したように、上記チェーンガイド47は駆動スプロケット41の歯先部両側にリベット49によって取り付けられている。
【００９０】
図１７は上記駆動スプロケット移動制限部材121の右面図、図１８は図１７のＸＶＩＩＩ−ＸＶＩＩＩ断面図であり、外筒45の鍔部45ｃのリベット孔122、駆動スプロケット41のリベット孔123および駆動スプロケット移動制限部材121のリベット孔124を貫通するリベット125によって、駆動スプロケット移動制限部材121は、上記駆動スプロケット41の右側に、駆動スプロケットと同心的に、一体に取り付けられている。
【００９１】
図４に示されるように、側面視において、駆動スプロケット位置設定部材120は、湾曲部の先端から、アーチのほぼ中間部の間で駆動スプロケット移動制限部材121と重なる位置にある。駆動スプロケット位置設定部材120の先端は、クランク軸11とディレイラ80のガイドプーリ支軸87とを結ぶ線のほぼ中間に配置されている。
【００９２】
次に、変速チェーンの整列機構について述べる。図４において、変速スプロケットの巻き出し側と、上記駆動スプロケットの巻き入れ側との間に掛け渡されている変速チェーンの経路に、変速チェーンを整列させるチェーン案内部材130が設けられている。
【００９３】
図１９は上記変速スプロケット体50と駆動スプロケット41とチェーン案内部材130との相互位置関係を示すために、ケース20内の変速チェーン整列に関係ある部材のみを示した右側面図であり、図２０は上記チェーン案内部材130の側面図、図２１はチェーン案内部材130の上面図である。上記チェーン案内部材130は、合成樹脂製であり、チェーン経路の上側に設置される上側案内部131、チェーン経路の下側に設置される下側案内部132、および上記両案内部を連結する上下連結部133からなっている。
【００９４】
上側案内部131は変速チェーン58の上方移動制限部材であり、下側案内部132は変速チェーン58の下方移動制限部材であり、上下連結部133により、上記両部材が一体化されて１個の部品となっている。上下連結部133には、２個のボルト孔134が設けてあり、図２１に図示されるように、チェーン案内部材130はこのボルト孔134に挿通されるボルト137を介して、ケース20Ｌの左補強部材22Ｌに固定されている。
【００９５】
チェーン案内部材130は、図４および図１９に図示されるように、変速スプロケット体50と駆動スプロケット41との中間に配置され、側面視で、上記上側案内部131は、多段の変速スプロケット50と重なる位置に設けられている。
【００９６】
上下の案内部131、132の変速チェーン流通側表面は、変速チェーン移動方向から見た時、平行であり、変速チェーン58が上下側案内部材131，132の間を通過することができる十分な幅を持つよう成形されている。
【００９７】
図２１に図示されるように、上側案内部131の、変速スプロケット体50側の先端は、斜めの櫛歯状部135が形成されている。この各櫛歯は、各変速スプロケット51〜57の歯先の隙間に挿入され、変速チェーン掛け替え時において、変速チェーン58が噛み合っている変速スプロケット51〜57のいずれかより変速チェーン58が確実に外されて、変速チェーン58が駆動スプロケット41の方向へ回送されるようになっている。
【００９８】
図２０に図示されるように、チェーン案内部材130の駆動スプロケット側には通過する変速チェーン58の上下位置を狭く規制するスロート部（喉部）136が設けてある。これは変速チェーン通路の上下幅を狭くした部分である。
【００９９】
次に、前述のように構成された実施例の作用および効果について説明する。
図４の実線、図５、図８、図１２に示されるように、前記第１位置にあるディレイラアーム82を有するディレイラ80により、一群の変速スプロケット51〜57のなかから作動スプロケットとして変速スプロケット57が選択されている状態、すなわち変速位置として７速位置が選択されている状態において、運転者がペダル12を漕いで前進方向Ｐに回動するクランク軸11によって、一方向クラッチ42およびスライド機構Ｓを介して駆動スプロケット41は前進方向Ｐに回転駆動される。
【０１００】
前進方向Ｐへ回転駆動される駆動スプロケット41により変速チェーン58を介して変速スプロケット57、出力軸14および後輪駆動スプロケット15は、両スプロケット41，57により決定される高速側の最大変速比で回転駆動する。
運転者により回転駆動されるクランク軸11の動力は、駆動スプロケット41、変速チェーン58および変速スプロケット57を介して出力軸14に伝達され、出力軸14の動力が、前記駆動力伝達機構を介して後輪Ｗｒに伝達されて、自転車Ｂが７速位置で走行する。
【０１０１】
前記７速位置にある状態から、ディレイラ80により変速位置を切り換えるために、作動スプロケットとして、より低速側の変速スプロケット、例えば変速スプロケット51を選択するように変速操作部材61が操作されると、ワイヤ62により図１２でディレイラ軸線方向で左方に移動するワイヤ62によって、案内孔81ａに案内された操作ピン65が案内孔81ａの左方の縁部61gに向けて移動される。
【０１０２】
このとき、操作ピン65と一体に移動するディレイラアーム82およびガイドプーリ86は、ディレイラ軸81上を図１２において軸線に沿って左方に移動すると共に、ディレイラ軸81を中心に図４において時計方向に回動して、ディレイラアーム82がワッシャ93に当接した時点で（図１３参照）、図４に２点鎖線で示される変速位置である１速位置を占める。
このときのピン61pの状態が図１０に２点鎖線で示されている。
【０１０３】
そして、ガイドプーリ86と共に図１２で左方に移動する変速チェーン58が、変速スプロケット57から、途中のスプロケット56〜52を順次経由して、変速スプロケット51に掛け換えられ、図１３に示すように変速スプロケット51は、変速チェーン58を介して駆動スプロケット41と駆動連結される。
【０１０４】
このとき、図５、図６に図示のスライド機構Ｓによりクランク軸軸線方向に移動可能な駆動スプロケット41は、変速チェーン58の張力のクランク軸軸線方向分力により、クランク軸11の軸線方向に移動して、図１４に２点鎖線で示される位置を占める。
また、テンショナプーリ105は、テンショナばね106により変速チェーン58に適度な大きさの張力を付与する位置を占める（図４の２点鎖線参照）。
【０１０５】
また、変速操作部材61が操作されてワイヤ62が緩められ、作動スプロケットとして、変速スプロケット51よりも、より高速側の変速スプロケット52〜57のいずれかが選択されると、圧縮コイルばね91のばね力によりディレイラアーム82が右方に向けて移動されるとともに、ガイドプーリ86が高速側の変速スプロケット52〜57を選択し、変速チェーン58が上記の選択された作動スプロケットに掛け換えられる。
【０１０６】
このときも、ディレイラアーム82の移動と同時に、変速チェーン58を介して駆動スプロケット41が、クランク軸軸線方向の新たな変速位置に対応する位置までに移動される。
そして、新たな変速位置での変速比で自転車Ｂが走行する。
【０１０７】
要約すれば、変速位置を切り換える際には、変速操作部材61が操作されると、ディレイラアーム82、ガイドプーリ86、テンショナプーリ105が所望の変速位置に向けて移動し、ディレイラ80により、一群のスプロケット51〜57の中から選択された作動スプロケットとクランク軸上の駆動スプロケット41とが変速チェーン58を介して連結される。
変速チェーン58の張力のクランク軸軸線方向分力によって、駆動スプロケット41はクランク軸に沿って移動し、上記選択された作動スプロケットに対応する位置を占める。
【０１０８】
ワイヤガイド部材72のガイド孔72ｄに挿入されたワイヤ62は、ガイドローラ71に巻き掛けられて、ガイドキャップ64の小孔からディレイラ軸81内に挿入されるので、ワイヤ62が外からガイド孔72ｄに挿入される方向がいずれであってもガイド孔72ｄに挿入された後のワイヤ62は、必ず支軸70に直交してガイドローラ71に正しく巻き掛けられてディレイラ軸81の中心軸線に正確に一致してディレイラ軸81内に挿入され円滑に進退することができる。
変速操作部材61の操作に伴うこのワイヤ62の進退により、連結フック67を介して操作ピン65がローラ66，66とともにディレイラ軸81内を軸方向に移動する。
【０１０９】
操作ピン65に軸支された１対のローラ66，66がそれぞれディレイラ軸81の案内孔81a，81aに転動自在に嵌合されているので、操作ピン65の軸方向の移動により、案内孔81a，81aに案内されて操作ピン65自体が旋回するとともに、操作ピン65と一体にディレイラアーム82およびガイドプーリ86がディレイラ軸81に対して旋回し、同時に軸線方向へ移動することができる。
【０１１０】
操作ピン65は、ローラ66，66を介して案内孔81a，81aに嵌まっているので、操作ピン65が案内孔81a，81aに案内されて移動するに際してローラ66，66が互いに反対方向に転動するので、摩擦抵抗が大幅に低減されて操作ピン65の移動を滑らかにし変速作業を円滑にすることができる。
【０１１１】
ディレイラ軸81をケース20に固定とせず回動自在とし、釣合いばね92により付勢する構造としているので、ディレイラアーム82を介して操作ピン65からディレイラ軸81に過大トルクが作用しても、ディレイラ軸81が回動して過大トルクが緩和される。
【０１１２】
軸受キャップ68には変速チェーン58の張力によるディレイラ軸81に作用するトルクが釣合ばね92を介して作用しているので、軸受キャップ68の突起68ｃが調整ボルト73の先端に常に押し付けられている。
したがって調整ボルト73を回動して進退させると、ディレイラ軸受孔27Ｌに嵌合された軸受キャップ68の突起68ｃを介して軸受キャップ68がディレイラ軸81の中心軸線を中心に回動される。
【０１１３】
この軸受キャップ68の回動は釣合ばね92を介してディレイラ軸81を回動し、ディレイラ軸81の回動角度を調整することができる。
【０１１４】
このディレイラ軸81の回動角度の調整では、変速比が最小のときに図１３に示すようにディレイラアーム82が左ケース20Ｌに最も近い位置にあった状態で左ケース20Ｌの覗き孔28Ｌを覗きながら行うので、ガイドプーリ支軸87の目視が楽であり、調整が容易となる。
【０１１５】
また、本実施例では、また、前記した右補強部材22Ｒのディレイラ軸受孔27Ｒの近傍に形成されたストッパボルト孔30（図３参照）にストッパボルト75を螺入すると、ディレイラ軸81と平行に螺入されたストッパボルト75の先端がケース20内に突出して第２ディレイラアーム84の基端部84aに当接可能となる（図８参照）。すなわち、ストッパボルト75の螺入量によりディレイラアーム82の右方移動限界が調整されることができる。
【０１１６】
さらに、前記右ケース20Ｒに覗き孔28Ｒが穿孔されているので、図１３に示すようにディレイラアーム82が最小外径の７速用（変速比最大）の変速スプロケット57に対応する軸方向位置にあって所要の旋回位置に正確に位置したときのガイドプーリ86のガイドプーリ支軸87と中心軸を同軸に一致させることができる。（図３の２点鎖線参照）。
【０１１７】
したがって、図３に図示するように、前記調整後に、変速操作部材61を操作して変速比を最大に設定したときにディレイラアーム82の旋回角度が所要の角度で停止するように、右ケース20Ｒの覗き孔28Ｒを覗き込みながらストッパボルト75の螺合状態を調整する。
【０１１８】
ストッパボルト75を回動操作して進退させると、圧縮コイルばね91に付勢されたディレイラアーム82を軸方向に移動することができ、ディレイラアーム82は軸方向移動に伴い操作ピン65を介してディレイラ軸81の案内孔81ａに案内されて旋回するので、この旋回角度を覗き孔28Ｒを覗き込みながら調整することになる。
【０１１９】
こうして変速比を最大に設定したときのディレイラアーム82の軸方向位置をストッパボルト75により規制して正確に設定することができる。
この設定が終了したら、覗き孔28Ｒにキャップ97を嵌入して閉塞しておく。
【０１２０】
以上のようにして変速操作部材61の操作により、変速スプロケット51〜57に対応する軸方向の各位置に対応してディレイラアーム82およびガイドプーリ86をそれぞれ所定の旋回位置に旋回するように調整されることで、変速作動が円滑に実行される。
【０１２１】
すなわち、低速（または高速）側への掛け換えを行うために、変速操作部材61が操作されて、ワイヤ62に連結された操作ピン65が軸方向に移動すると、前記トルクの釣合いの下で回動角度が決まるディレイラ軸81の案内孔81ａに操作ピン65が案内されてディレイラアーム82とともに旋回し、かつ軸方向に移動して、ディレイラアーム82と共に移動するガイドプーリ86に案内された変速チェーン58が、変速位置に応じて、一群の変速スプロケット51〜57のなかから択一的に選択された変速スプロケットに巻き掛けられ、変速チェーン58により駆動スプロケット41と前記変速スプロケットとが駆動連結される。
【０１２２】
以上のようにディレイラ軸81の調整やディレイラアーム82の軸方向位置の設定は、フレームＦへの変速装置Ｔの組付け後にケース20を分解することなく外部から行うことができるので、変速装置Ｔの組付けが容易となる。
また、覗き孔28Ｌ，28Ｒは、キャップ96，97で閉塞されるので、ケース20の内部が密封されて外乱を受け難くなっている。
【０１２３】
なお、ケース20に設けられた覗き窓である覗き孔28Ｌ，28Ｒは、ガラスなどの透明部材を嵌着するようにしてもよく、そうすることで密封性を維持できるとともに、一々キャップを外したり嵌めたりする必要がない。
【０１２４】
本発明に係る変速装置が搭載されている自転車Ｂは、林道などに高速コーナやジャンプセクションを設けた未舗装のコースを下ることによりタイムを競う競技に使用されるダウンヒル用自転車であるので、自転車Ｂが急カーブを横方向に曲がる時に、駆動スプロケット体40と変速スプロケット体50とに巻き掛けられた変速チェーン58は、自転車Ｂが曲がる方向と逆方向の遠心力を受け、駆動スプロケット体40の駆動スプロケット41の歯からこの遠心方向へ外れようとし、あるいは、走行の際の走行面の凹凸でもって自転車Ｂが激しく上下動して、変速チェーン58が駆動スプロケット41から外れようとする。しかし、図５、図１４に図示されるように、駆動スプロケット41の外周部両側にチェーンガイド47が一体に設けられているので、このチェーンガイド47により、駆動スプロケット41からの変速チェーン58の脱落が未然に阻止される。
【０１２５】
また、駆動スプロケット41に巻き掛けられた変速チェーン58の張力により、駆動スプロケット体40はクランク軸11の軸方向へは移動しないような拘束力を受けるが、急カーブ走行の際の遠心力が大きいと、この拘束力に打ち勝って駆動スプロケット体40の軸方向可動部分の駆動スプロケット41、外筒45がその遠心力方向に移動することがあっても、図１４に図示されるように、ディレイラ80によって軸方向位置が設定されたディレイラアーム82と一体に駆動スプロケット位置設定部材120が形成され、駆動スプロケット41の右側に駆動スプロケット移動制限部材121が一体に設けられて、駆動スプロケット位置設定部材120が駆動スプロケット41と駆動スプロケット移動制限部材121との中間に位置しているため、前記遠心力により、駆動スプロケット体40の可動部分たる駆動スプロケット41、外筒45および駆動スプロケット移動制限部材121が例えば、左方に移動しようとした場合、駆動スプロケット移動制限部材121が駆動スプロケット位置設定部材120に当接して、前記駆動スプロケット体40の可動部分の左方移動が阻止される。また、前記遠心力により前記駆動スプロケット体40の可動部分が右方に移動しようとした場合には、駆動スプロケット41と一体のチェーンガイド47が駆動スプロケット位置設定部材120に当接して、前記駆動スプロケット体40の可動部分の右方移動が阻止される。
【０１２６】
駆動スプロケット位置設定部材120および駆動スプロケット移動制限部材121からなるスライド規制構造により駆動スプロケット41がガイドプーリ86およびテンショナプーリ105に対し常に所要範囲内で軸方向位置が規制されるために、変速チェーン58が駆動スプロケット41、テンショナプーリ105および変速スプロケット51〜57の内の所定のスプロケットの回転面に沿って回送され、これらスプロケットに変速チェーン58が安定して噛み合うことができる結果、スプロケットからの変速チェーン58の脱落が確実に阻止されるとともに、変速チェーン58が軽快に回送できて、伝動効率が高い。
【０１２７】
そして、駆動スプロケット位置設定部材120が偏平円筒部84ｃの外周部から半径方向に岐出した駆動スプロケット位置設定部材120が図４にて時計方向に弯曲しているため、ディレイラ80のディレイラアーム82が最大径の変速スプロケット51と最小径の変速スプロケット57の半径の変化に対応して図４の実線および２点鎖線に図示されるように、広い範囲に亘って揺動しても、駆動スプロケット位置設定部材120がピボット軸７に衝突することがない。
【０１２８】
また、駆動スプロケット位置設定部材120が前述したように弯曲しているため、ディレイラアーム82が駆動スプロケット41の回転中心のクランク軸11に略指向した図４の実線で図示された状態における駆動スプロケット41およびリング状の駆動スプロケット移動制限部材121に対する係合状態と、ディレイラアーム82が図４の２点鎖線で図示された状態における駆動スプロケット41およびリング状の駆動スプロケット移動制限部材121に対する係合状態に左程大きな変化がなく、その結果、駆動スプロケット位置設定部材120は駆動スプロケット41と駆動スプロケット移動制限部材121とに対し一定の当接状態を保持することができる。
【０１２９】
さらに、駆動スプロケット移動制限部材121の外周部126は円形のリング状に形成されているため、駆動スプロケット位置設定部材120に対する当接状態が一定している。
【０１３０】
さらにまた、駆動スプロケット移動制限部材121には、リング状外周部126から中心方向へ逆Ｖ状連結部127が一体に形成されているため、駆動スプロケット移動制限部材121は軽量である。
【０１３１】
変速装置Ｔを搭載した自転車Ｂにおいては、ペダル12を漕いで生じるクランク軸11の正転方向Ｐの回転力は、クランク軸11、駆動スプロケット41、変速チェーン58、変速スプロケット体50、出力軸14、後輪駆動スプロケット15、後輪駆動チェーン17、後輪従動スプロケット16、および後輪Ｗｒの順に回転駆動されて、後輪Ｗｒが駆動され、自転車Ｂが前進する場合に、この駆動力伝達経路には、一方向クラッチ42が設けられ、それはクランク軸11と駆動スプロケット41との間に配設されているので、クランク軸11を逆転させた場合には、クランク軸11の逆転は、上記順序における駆動スプロケット41以降には伝達されない。
【０１３２】
自転車運転中に、クランク軸11を逆転、あるいは停止させた時は、自転車は惰性で進行し、特に傾斜地を降下中であれば自転車は進行を続け、自転車の後輪Ｗｒは回転を続け、この時、自転車の後輪Ｗｒの回転は、後輪Ｗｒ、後輪従動スプロケット16、後輪駆動チェーン17、後輪駆動スプロケット15、出力軸14、変速スプロケット体50の順序で、直接変速スプロケット体50に伝達される。
【０１３３】
変速スプロケット体50と駆動スプロケット41との間には変速チェーン58が装着されており、クランク軸11から駆動力を付与されていない駆動スプロケット41は受動的に回転する状態にあり、変速チェーン58にはチェーンテンショナ100のテンショナばね106と釣合ばね92とのバランスによって張力が付与されているが、走行面が小刻みに波打ち、あるいは、運転者が強くペダル39を踏んだ後に、急にペダル39の踏み込みを停止した場合には、図１９に図示されるように、変速スプロケット50の下側の巻き出し側から駆動スプロケット体40の巻き込み側に変速チェーン58が押し込まれて撓み、あるいは、弛んだりして、駆動スプロケット41の巻き入れ側へ噛み込み、スムーズに入って行かない場合がある。
【０１３４】
チェーン案内部材130はこのような変速チェーン58の噛み込みを防止するためのものである。本実施形態のチェーン案内部材130を備えた変速装置Ｔでは、図１９に示されるように、チェーン案内部材130の変速スプロケット体50の側で弛んでいる変速チェーン58がスロート部136で一直線状に整列させられて、スムーズに駆動スプロケット41に入って行くことができる。
【０１３５】
従って、自転車が、林道などに設けられた高速コーナやジャンプセクション等の未舗装のコースを下る場合には、自転車Ｂは激しく上下方向の運動を繰り返し、変速チェーン58に上下方向慣性力による振動が加わる。チェーン案内部材が装着されている自転車においては、上記のように変速チェーン58に撓みや弛みがある状態で上記のような激しい上下運動が行われた場合にも、変速チェーンに上下方向の慣性力振動によって、駆動スプロケット入口で、変速チェーン58が詰まることもなければ、駆動スプロケット41に噛み込んでしまうこともない。
【０１３６】
図２１に図示されるように、チェーン案内部材130はこのボルト孔134に挿通されるボルト137を介して、ケース20Ｌの左補強部材22Ｌに固定され、チェーン案内部材130は合成樹脂製であるので、安価に製作され、また、軽量である。
【０１３７】
チェーン案内部材130は、図４および図１９に図示されるように、変速スプロケット体50と駆動スプロケット41との中間に配置されている。
【０１３８】
上下の案内部131、132の変速チェーン流通側表面は、変速チェーン移動方向から見た時、平行であり、十分な幅を持つよう成形してあるので、これによって、変速チェーン架け替え時に変速チェーン58が出力軸軸線方向に移動しても、変速チェーン58をスムーズに案内することができる。
【０１３９】
図２１に図示されるように、上側案内部131の、変速スプロケット体50側の先端は、斜めの櫛歯状部135が形成されているので、この各櫛歯は、変速スプロケット51〜57の重なりの隙間に挿入され、変速チェーン掛け替え時においても、変速チェーン58の上方移動を確実に制限し、スムーズに変速チェーン58を駆動スプロケット41の方向へ回送することができる。
【０１４０】
図２０に図示されるように、チェーン案内部材130の駆動スプロケット側には通過する変速チェーン58の上下位置を狭く規制するスロート部（喉部）136が形成されているので、スロート部から送り出された変速チェーンは、駆動スプロケット41の歯先位置に接線状に到着することができる。
【図面の簡単な説明】
【０１４１】
【図１】本発明の一実施の形態に係る自転車の概略の左側面図である。
【図２】左ケースの左側面図である。
【図３】右ケースの右側面図である。
【図４】変速装置Ｔの右カバーの一部を除去して内部を見た右側面図である。
【図５】図４のＶ−Ｖ線で切断した断面図である。
【図６】図４のＶＩ−ＶＩ線で切断した断面図である。
【図７】図６のＶＩＩ−ＶＩＩ線で切断した断面図である。
【図８】図４のＶＩＩＩ−ＶＩＩＩ線で切断した断面図である。
【図９】ディレイラの要部拡大部分断面図である。
【図１０】図９のＸ−Ｘ線で切断した断面図である。
【図１１】ワイヤガイド部材の取付け状態を示す図８のＸＩ矢視図である。
【図１２】図４のＸＩＩ−ＸＩＩ線で切断した断面図である。
【図１３】別の状態における図４のＸＩＩＩ−ＸＩＩＩ線で切断した断面図である。
【図１４】図４のＸＩＶ−ＸＩＶ線で切断した断面図である。
【図１５】上記第２ディレイラアーム84の右面図である。
【図１６】図１５のＸＶＩ−ＸＶＩ断面図である。
【図１７】上記駆動スプロケット移動制限部材121の右面図である。
【図１８】図１７のＸＶＩＩＩ−ＸＶＩＩＩ断面図である。
【図１９】変速装置ケース内の変速チェーン整列に関係ある部材のみを示した右側面図である。
【図２０】上記チェーン案内部材130の側面図である。
【図２１】チェーン案内部材130の上面図である。
【符号の説明】
【０１４２】
Ｂ…自転車、Ｆ…フレーム、Ｔ…変速装置、Ｗｆ…前輪、Ｗｒ…後輪、Ｍ１…変速機構、Ｍ２…変速切換機構、Ｓ…スライド機構、
１…ヘッドパイプ、２…メインフレーム、３…ダウンチューブ、４…サドルフレーム、５…フロントフォーク、６…サドル、７…ピボット軸、８…スイングアーム、９…車軸、10…サスペンション、11…クランク軸、12…クランクアーム、13…ブッシュ、14…出力軸、15…後輪駆動スプロケット、16…後輪従動スプロケット、17…後輪駆動チェーン、18…カラー、19…軸受、
20…ケース、20Ｌ，20Ｒ…ケース、21Ｌ，21Ｒ…カバー、22Ｌ，22Ｒ…補強部材、23Ｌ，23Ｒ、24Ｌ，24Ｒ…ボルト孔、25Ｌ，25Ｒ…クランク軸受孔、26Ｌ，26Ｒ…ピボット軸受孔、27Ｌ，27Ｒ…ディレイラ軸受孔、28Ｌ，28Ｒ…覗き孔、29…出力軸受孔、30…ストッパボルト孔、31…シール部材、31Ｌ，31Ｒ…溝部、32，33…ボルト、34…ナット、35…出力軸枢支盲孔、36…窪み部、37…凹部、38Ｌ，38Ｒ…帯状体、39…ペダル、
40…駆動スプロケット体、41…駆動スプロケット、42…一方向クラッチ、43…軸受、44…内筒、45…外筒、46…ボールスプライン機構、47…チェーンガイド、48…軸受、49…リベット、
50…変速スプロケット体、51〜57…変速スプロケット、58…変速チェーン、
60…変速操作機構、61…変速操作部材、62…ワイヤ、63…アウタチューブ、64…ガイドキャプ、65…操作ピン、66…ローラ、67…連結フック、68…軸受キャップ、69…キャップ、70…支軸、71…ガイドローラ、72…ワイヤガイド部材、73…調整ボルト、74…ナット、75…ストッパボルト、76…コイルばね、
80…ディレイラ、81…ディレイラ軸、82…ディレイラアーム、83…第１ディレイラアーム、84…第２ディレイラアーム、85…摺動部材、86…ガイドプーリ、87…ガイドプーリ支軸、88…ナット、89…カラー、90…ニードルベアリング、91…圧縮コイルばね、92…釣合ばね、93…ワッシャ、94…ワッシャ、95…止め輪、96…キャップ、97…キャップ、98…止め輪、
100…テンショナ、101…テンショナアーム、102…第１テンショナアーム、103…第２テンショナアーム、104…円筒基部、105…テンショナプーリ、106…テンショナばね、107…ベアリング、108…テンショナプーリ支軸、109…ナット、110…カラー、111…ボルト、112…ナット、
120…駆動スプロケット位置設定部材、121…駆動スプロケット移動制限部材、122、123、124…リベット孔、125…リベット、126…リング状外周部、127…逆Ｖ字状連結部、
130…チェーン案内部材、131…上側案内部、132…下側案内部、133…上下連結部、134…ボルト孔、135…櫛歯状部、136…スロート部、137…ボルト。
【図１】
2005225286.tif 000003
【図２】
2005225286.tif 000004
【図３】
2005225286.tif 000005
【図４】
2005225286.tif 000006
【図５】
2005225286.tif 000007
【図６】
2005225286.tif 000008
【図７】
2005225286.tif 000009
【図８】
2005225286.tif 000010
【図９】
2005225286.tif 000011
【図１０】
2005225286.tif 000012
【図１１】
2005225286.tif 000013
【図１２】
2005225286.tif 000014
【図１３】
2005225286.tif 000015
【図１４】
2005225286.tif 000016
【図１５】
2005225286.tif 000017
【図１６】
2005225286.tif 000018
【図１７】
2005225286.tif 000019
【図１８】
2005225286.tif 000020
【図１９】
2005225286.tif 000021
【図２０】
2005225286.tif 000022
【図２１】
2005225286.tif 000023